(57)【要約】【課題】異なる食物に応じてまな板をすばやく交換することができ、滑りを防止し、重さを増すことで定位性能を強化する食物分類に応じてまな板面を交換可能なプラスチックまな板構造を提供する。【解決手段】食物分類に応じてまな板面を交換可能なプラスチックまな板構造は、板置き台2、上、下滑り止めパッド3、3’、交換可能な滑り止めまな板４を備え、板置き台2は凹板体を呈し、片側平面には幾何形凹槽21を設置し、滑り止めパッド3の設置と、交換可能な滑り止めまな板4の係合に用い、その少なくとも片側辺には陥没槽211を設置し、反対側平面は下滑り止めパッド3’と一体に結合し、上、下滑り止めパッド3、3’と板置き台2或いは幾何形凹槽21とは相同の外観様式で、上、下滑り止めパッド3、3’の片側平面には滑り止め層31、31’を設置し、交換可能な滑り止めまな板4は、板置き台2或いは幾何形凹槽21と相同の外観様式で、上滑り止めパッド3上に設置する。【選択図】図２
0003163556.tif 000002
【実用新案登録請求の範囲】
【請求項１】
板置き台、上、下滑り止めパッド、交換可能まな板を備え、
前記板置き台は、片側平面に幾何形凹槽を陥没状に設置し、しかもその少なくとも片側辺には、陥没槽を設置し、前記陥没槽底縁は、前記上滑り止めパッドとちょうど等しい高さで、
前記上、下滑り止めパッドは、押出、或いはプレス、或いは射出等の成型方式により、前記幾何形凹槽、前記板置き台と相同の外観様式に成型し、前記上、下滑り止めパッドの片側平面には、滑り止め層を設置し、反対側平面は、それぞれ下向き、上向きに、前記幾何形凹槽内及び板置き台底部上に結合して設置し、
前記交換可能まな板は、押出、或いはプレス、或いは射出等の成型方式により、前記幾何形凹槽と相同の外観様式に成型し、前記交換可能な滑り止めまな板片側平面は、前記上滑り止めパッド上に設置し、前記交換可能な滑り止めまな板の板体の適当な位置には、模様穴を開設し、
前記上、下滑り止めパッドを、前記まな板とそれぞれ重ねて、平坦に接続することで、前記交換可能まな板は、前記上滑り止めパッド上に設置され、位置を限定して滑りを防止する、食物分類に応じてまな板面を交換可能なプラスチックまな板構造。
【請求項２】
板置き台、下滑り止めパッド、交換可能まな板を備え、
前記板置き台は、片側平面に幾何形凹槽を陥没状に設置し、その内面上に滑り止め層を一体に敷設し、しかもその少なくとも片側辺には、陥没槽を設置し、前記陥没槽底縁は、前記上滑り止めパッドとちょうど等しい高さで、
前記下滑り止めパッドは、押出、或いはプレス、或いは射出等の成型方式により、前記板置き台と相同の外観様式を成型し、前記上、下滑り止めパッドの片側平面には、滑り止め層を設置し、反対側平面は、上向きに、前記板置き台底部上に結合して設置し、
前記交換可能まな板は、押出、或いはプレス、或いは射出等の成型方式により、前記幾何形凹槽と相同の外観様式に成型し、前記交換可能な滑り止めまな板片側平面は、前記上滑り止めパッド上に設置し、前記交換可能な滑り止めまな板の板体の適当な位置には、模様穴を開設し、
前記幾何形凹槽内面の滑り止め層、下滑り止めパッドを、前記まな板とそれぞれ重ねて、平坦に接続することで、前記交換可能まな板は滑り止め層上に嵌り、位置を限定して滑りを防止する、食物分類に応じてまな板面を交換可能なプラスチックまな板構造。
【請求項３】
前記幾何形板体は、方形或いは楕円形であることを特徴とする請求項１、或いは２に記載の食物分類に応じてまな板面を交換可能なプラスチックまな板構造。
【請求項４】
板置き台、上、下滑り止めパッド、交換可能まな板を備え、
前記板置き台は、両側平面を、それぞれ上、下滑り止めパッドと接合して一体に設置し、
前記上、下滑り止めパッドは、押出、或いはプレス、或いは射出等の成型方式により、前記板置き台と相同の外観様式を成型し、前記上、下滑り止めパッドの片側平面には、滑り止め層を設置し、
前記交換可能まな板は、押出、或いはプレス、或いは射出等の成型方式により、前記板置き台と相同の外観様式に成型し、前記交換可能な滑り止めまな板片側平面は、前記上滑り止めパッド上に設置し、前記交換可能な滑り止めまな板の板体の適当な位置には、模様穴を開設する、食物分類に応じてまな板面を交換可能なプラスチックまな板構造。
【請求項５】
前記板置き台の少なくとも片側辺には、持ち手を延伸して設置し、これにより使用者は便利に持つことができることを特徴とする請求項１、或いは２、或いは４に記載の食物分類に応じてまな板面を交換可能なプラスチックまな板構造。
【請求項６】
前記模様穴は、符号或いは図形或いは商標であることを特徴とする請求項１、或いは２、或いは４に記載の食物分類に応じてまな板面を交換可能なプラスチックまな板構造。
【請求項７】
前記上滑り止めパッドと重ねて接続する側平面には、滑り止め層を増設可能で、これにより両者間の停滞性を強化することを特徴とする請求項１、或いは２、或いは４に記載の食物分類に応じてまな板面を交換可能なプラスチックまな板構造。
【考案の詳細な説明】
【技術分野】
【０００１】
本考案は食物分類に応じてまな板面を交換可能なプラスチックまな板構造に関し、特に上、下滑り止めパッドを板置き台両側に結合して設置し、交換可能な滑り止めまな板を上滑り止めパッド上に置き、これにより異なる食物に応じてまな板をすばやく交換することができ、滑りを防止し、重さを増すことで定位性能を強化することができる食物分類に応じてまな板面を交換可能なプラスチックまな板構造に関する。
【背景技術】
【０００２】
一般のプラスチックまな板は、中央の板置き台51とまな板52を一体に結合する。
【０００３】
まな板52は、抗菌処理を施し使用に供する。
【０００４】
しかし、板面は両面しかないため、２種の使用アイテムに応じた分類しかできず、さらに分類しようとするなら、新たなまな板を購入しなければならない。
【０００５】
本考案は、従来のまな板構造の上記した欠点に鑑みてなされたものである。
【考案の概要】
【考案が解決しようとする課題】
【０００６】
本考案が解決しようとする課題は、食物分類に応じてまな板面を交換可能なプラスチックまな板構造を提供することである。
【課題を解決するための手段】
【０００７】
上記課題を解決するため、本考案は下記の食物分類に応じてまな板面を交換可能なプラスチックまな板構造を提供する。
【０００８】
食物分類に応じてまな板面を交換可能なプラスチックまな板構造は、板置き台、上、下滑り止めパッド、交換可能まな板を備え、
該板置き台は、平板体或いは凹板体を呈し、
該平板体は、両側平面が該上、下滑り止めパッドと結合して一体を形成し、
該凹板体は、片側平面に幾何形凹槽を陥没状に設置し、該滑り止めパッド及びまな板の結合設置及び係合に用い、しかもその少なくとも片側辺底縁は、該上滑り止めパッドとちょうど等しい高さの陥没槽を設置し、
反対側平面は、該下滑り止めパッドと一体に結合し、該上、下滑り止めパッドは、板置き台、或いは幾何形凹槽と相同の外観様式に成型し、
該上、下滑り止めパッドの片側平面には、滑り止め層を設置し、該まな板とそれぞれ重ねて平坦に接続し、該まな板は、任意の色に製造し、該板置き台或いは該幾何形凹槽と相同の外観様式で、片側平面上は該滑り止めパッド上に設置される。
【０００９】
該板置き台の上側平面には、楕円形の幾何形凹槽を形成し、該上滑り止めパッドは、相同な楕円形を呈し、下向きに、該幾何形凹槽と結合して設置し、該下滑り止めパッドは、該板置き台と相同の外観様式を呈し、上向きに、その下側平面と結合して設置し、平台上に置く。
【００１０】
該交換可能な滑り止めまな板は、楕円形を呈し、下向きに、該幾何形凹槽と係合して設置し、該下滑り止めパッド上に嵌り、位置を限定して滑りを防止する。
【００１１】
まな板の交換時には、指を片側辺の陥没槽に沿わせ、横向きに取り出した後、使おうとするまな板を、該幾何形凹槽内の上滑り止めパッド上に嵌め、まな板を交換可能とし、板置き台の重量と滑り止め性により定位を強化し、繰り返し交換可能で、消費コストを低下させる。
【００１２】
食物分類に応じてまな板面を交換可能なプラスチックまな板構造の上、下滑り止めパッドは、該板置き台と相同の外観様式を呈し、それぞれ下向き、及び上向きに、該板置き台の上、下側平面に結合して設置し、該交換可能まな板は同様に、該板置き台と相同の外観様式を呈し、該上滑り止めパッド上に設置し、該滑り止め層により滑り止め効果を達成する。
【００１３】
該幾何形凹槽内面上には、滑り止め層を一体に敷設し、交換可能まな板は幾何形を呈し、該凹槽と相同の外観様式を呈し、下向きに係合され、該上滑り止めパッド上に設置し、位置を限定して滑りを防止する。
【００１４】
まな板の交換時には、そのまな板を取り外した後、使おうとするまな板を該滑り止め層上に嵌め、前記と相同の効果を提供する。
【００１５】
食物分類に応じてまな板面を交換可能なまな板構造は、交換可能まな板は単色で、しかも模様穴は、符号或いは図形等である。
【００１６】
使用者はそれぞれ専属のまな板面を簡単に記憶及び識別することができ、こうして無秩序な使用を回避することができ、しかも反対側平面は、滑り止め層で上滑り止めパッド上に設置し、相互間の停滞性を強化し、より滑りにくくする。
【００１７】
該まな板上で、食物を切った後は、手により側辺陥没槽に沿って横向きにまな板を取り出し、それを任意の湾曲状に曲げ、こうして食物を鍋内に投入して調理することができ、これにより、清潔かつ衛生的に調理ができ、また食物のこぼれ落ちも防止することができる。
【考案の効果】
【００１８】
本考案の食物分類に応じてまな板面を交換可能なプラスチックまな板構造は、下滑り止めパッドを板置き台両側に結合して設置し、交換可能な滑り止めまな板を上滑り止めパッド上に置き、これにより異なる食物に応じてまな板をすばやく交換することができ、滑りを防止し、重さを増すことで定位性能を強化することができる。
【図面の簡単な説明】
【００１９】
【図１】本考案第一実施例の立体組合せ図である。
【図２】本考案第一実施例の分解図である。
【図３】本考案第一実施例の断面図である。
【図４】本考案まな板の立体図である。
【図５】本考案まな板の立体図である。
【図６】本考案第二実施例の立体組合せ図である。
【図７】本考案第二実施例の立体分解図である。
【図８】本考案まな板の立体図である。
【図９】本考案まな板の立体図である。
【図１０】本考案第三実施例の分解図である。
【図１１】本考案まな板を折り曲げて鍋に入れる様子を示す模式図である。
【図１２】従来のプラスチックまな板の立体図である。
【考案を実施するための形態】
【００２０】
以下に図面を参照しながら本考案を実施するための最良の形態について詳細に説明する。
【実施例】
【００２１】
図１、２、図６、７に示すように、本考案は主に、板置き台2、上、下滑り止めパッド3、3’、まな板4を備える。
【００２２】
板置き台2は、平板体或いは凹板体を呈し、少なくとも片側辺には、持ち手22を延伸して設置し、これにより使用者は便利に持つことができる。平板体は、両側平面が上、下滑り止めパッド3、3’と結合して一体を形成する。
【００２３】
凹板体は、片側平面に、幾何形凹槽21を陥没状に設置する。これにより、上滑り止めパッド3及びまな板4を結合して設置し、或いはその内面上に滑り止め層212を一体に敷設し、まな板4を係合して設置する。
【００２４】
幾何形凹槽21は、方形或いは楕円形等で、しかもその少なくとも片側辺には、陥没槽211を設置する。
【００２５】
陥没槽211底縁は、上滑り止めパッド3とちょうど等しい高さであるため、側面からまな板4を取り上げるのに便利である。反対側平面は、下滑り止めパッド3’と一体に結合する。
【００２６】
上、下滑り止めパッド3、3’は、押出、或いはプレス、或いは射出等の成型方式により、板置き台2、或いは幾何形凹槽21と相同の外観様式に成型する。
【００２７】
上、下滑り止めパッド3、3’の片側平面には、滑り止め層31、31’を設置し、まな板4とそれぞれ重ねて、平坦に接続する。
【００２８】
上、下滑り止めパッド3、3’の反対側平面は、それぞれ下向き、上向きに、板置き台2或いは幾何形凹槽21と結合する。
【００２９】
交換可能な滑り止めまな板4は、押出、或いはプレス、或いは射出等の成型方式により、任意の色で、かつ板置き台2或いは幾何形凹槽21と相同の外観様式に成型する。交換可能な滑り止めまな板4と幾何形凹槽21とは係合し、下滑り止めパッド3’上に嵌り、位置を限定して滑りを防止する。
【００３０】
交換可能な滑り止めまな板4片側平面は、上滑り止めパッド3上に設置し、しかもそれ自体に抗菌処理を施すため、使用後の最近繁殖を抑えることができる。
【００３１】
交換可能な滑り止めまな板4の板体の適当な位置には、模様穴41を開設する。
【００３２】
模様穴41は、符号、或いは図形、或いは商標等で、まな板用途の識別性或いは標示性を強化する。
【００３３】
さらに、側平面には、滑り止め層42を設置し、上滑り止めパッド3との間の滑り止め性能を強化する。
【００３４】
この構造により、まな板の定位、及び食物に応じたまな板の分類と交換を達成でき、経済的に使用することができる。
【００３５】
図１〜５に示すように、本考案の実施例では、板置き台2の上側平面には、楕円形の幾何形凹槽21を形成する。
【００３６】
上滑り止めパッド3は、相同な楕円形を呈し、下向きに、幾何形凹槽21と結合して設置する。
【００３７】
下滑り止めパッド3’は、板置き台2と相同の外観様式を呈し、上向きに、その下側平面と結合して設置し、平台上に置く。
【００３８】
交換可能な滑り止めまな板4は、楕円形を呈し、下向きに、幾何形凹槽21と係合して設置し、上滑り止めパッド3上に設置し、位置を限定して滑りを防止する(図２、３参照)。
【００３９】
まな板4を交換する時には、指を片側辺の陥没槽211に沿わせ、横向きに取り出した後、使おうとする交換可能な滑り止めまな板4を、幾何形凹槽21内の上滑り止めパッド3上に嵌める。
【００４０】
こうして、まな板4を食物に応じて分類し交換して使用することができ、板置き台2の重量と滑り止め性能を運用して、定位強化の効果を達成する。
【００４１】
図６、７に示すように、本考案第二実施例では、上、下滑り止めパッド3、3’は、板置き台2と相同の外観様式を呈し、それぞれ下向き、及び上向きに、板置き台2の上、下側平面に結合して設置する。
【００４２】
まな板4は同様に、板置き台2と相同の外観様式を呈し、上滑り止めパッド3上に設置し、滑り止め層31により滑り止め効果を達成する(図７参照)。
【００４３】
まな板4を交換する時には、そのまな板4を取り外した後、使おうとするまな板4を、上滑り止めパッド3上に敷設し、前記と相同の効果を提供する。
【００４４】
図１0に示すように、本考案第三実施例では、板置き台2の幾何形凹槽21の内面上には、滑り止め層212を一体に敷設する。
【００４５】
まな板4は、楕円形を呈し、下向きに、幾何形凹槽21と係合して設置し、滑り止め層212上に嵌り、位置を限定して滑りを防止する。
【００４６】
まな板4を交換する時には、そのまな板4を取り外した後、使おうとするまな板4を、上滑り止め層212上に敷設し、前記と相同の効果を提供する。
【００４７】
図２、図４〜図９、図１１に示すように、まな板4は単色で、しかも模様穴41は、魚図形或いは牛図形等である。
【００４８】
これにより、使用者はそれぞれ専属のまな板面を簡単に記憶及び識別することができ、こうして無秩序な使用を回避することができる。
【００４９】
しかも、反対側平面は、滑り止め層42で、上滑り止めパッド3上に設置するため、相互間の停滞性を強化し、より滑りにくくする。
【００５０】
まな板4上で、食物Fを切った後は、指で片側辺の陥没槽211に沿って、横向きにまな板4を取り出し、それを任意の湾曲状に曲げ、こうして食物Fを鍋P内に投入して調理することができる。
【００５１】
これにより、清潔かつ衛生的に調理ができ、また食物Fのこぼれ落ちも防止することができる。
【００５２】
上記したように、本考案は、まな板4が衝撃を受けてずれることを確実に防止可能で、重さを増すことで定位性を高め、衛生的に交換して使用することができる。
【００５３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００５４】
本考案は実用新案の要件である新規性を備え、従来の同類製品に比べ十分な進歩を有し、実用性が高く、社会のニーズに合致しており、産業上の利用価値は非常に大きい。
【符号の説明】
【００５５】
2  板置き台
21  幾何形凹槽
211  陥没槽
212  滑り止め層
22  持ち手
3  上滑り止めパッド
31  滑り止め層
3’  下滑り止めパッド
31’  滑り止め層
4  まな板
41  模様穴
42  滑り止め層
F  食物
P  鍋
【図１】
0003163556.tif 000003
【図２】
0003163556.tif 000004
【図３】
0003163556.tif 000005
【図４】
0003163556.tif 000006
【図５】
0003163556.tif 000007
【図６】
0003163556.tif 000008
【図７】
0003163556.tif 000009
【図８】
0003163556.tif 000010
【図９】
0003163556.tif 000011
【図１０】
0003163556.tif 000012
【図１１】
0003163556.tif 000013
【図１２】
0003163556.tif 000014